(57)【要約】      （修正有）【課題】保管物が腐りにくく、地震時に建物と一体となって影響を受けず、広さを自由に設定でき、搬送・設置と床下の点検を容易にした床下収納庫を提供する。【解決手段】パンチング板とメッシュを併せたパネルを内壁と床板に使用することで、通気のなさ、温度の上昇、ゴミの蓄積等の課題を解決し、保管物を腐りにくくし、建物の床組や床仕上げ板と固定せず、独自の基礎・柱・壁を組み立てて自立させることで、地震時に建物と一体となって影響を受けないようにし、柱とパネルの組立式にすることで、広さを自由に設定することができるようにし、各部材の寸法を一定の範囲内にまとめた部材で構成することで搬送を容易にし、構成する部材の種別を少なくし、且つ、各部位に使用するボールト・ネジ等と柱・上下弦材・壁・床を色分けして着色することで、設置を容易にした。【選択図】図２
0003190342.tif 000002
【実用新案登録請求の範囲】
【請求項１】
パンチング板とメッシュを併せたパネルを内壁と床板に使用した床下収納庫。
【請求項２】
建物の床組や床仕上げ板と固定せず、独自の基礎・柱・壁を組み立てて自立させた請求項１記載の床下収納庫。
【請求項３】
柱とパネルの組立式にすることで、広さを自由に設定することができる請求項１記載の床下収納庫。
【請求項４】
各部材の寸法を一定の範囲内にまとめた部材で構成することで搬送を容易にし、また、構成する部材の種別を少なくし、且つ、各部位に使用するボールト・ビス等と柱・壁・床等を色分けして着色することで、設置を容易にした請求項１記載の床下収納庫。
【考案の詳細な説明】
【技術分野】
【０００１】  本考案は、防腐・防臭・防振を図った床下収納庫に関する。
【背景技術】
【０００２】  従来の床下収納庫には、床面を構成する部材等にＦＲＰ製の箱で固定されているものがある。
【考案の概要】
【考案が解決しようとする課題】
【０００３】  従来の床下収納庫には、次のような欠点があった。
（１）通気のなさ、温度の上昇、ゴミの蓄積等により、保管物が腐りやすかった。
（２）地震時に建物と一体となって影響を受ける。
（３）広さを自由に設定することができない。
（４）部材が重いため搬送・設置が大変である。
（５）床下収納庫全部を取り外さないと床下の点検ができない。
本考案は、以上の問題点を解決するために考案されたものである。
【課題を解決するための手段】
【０００４】  従来の床下収納庫の上記欠点を克服し、本考案は次のような特徴がある。
（１）パンチング板とメッシュを併せたパネルを内壁と床板に使用することで、通気のな      さ、温度の上昇、ゴミの蓄積等の課題を解決し、保管物を腐りにくくした。
（２）建物の床組や床仕上げ板と固定せず、独自の基礎・柱・壁を組み立てて自立させる      ことで、地震時に建物と一体となって影響を受けないようにした。
（３）柱とパネルの組立式にすることで、広さを自由に設定することができるようにした      。
（４）各部材の寸法を一定の範囲内にまとめた部材で構成することで搬送を容易にし、ま      た、構成する部材の種別を少なくし、且つ、各部位に使用するボールト・ビス等と      柱・壁・床等を色分けして着色することで、設置を容易にした。
（５）庫内のパネルを１面開閉するだけで床下の点検が容易にできる。
【考案の効果】
【０００５】  本考案の床下収納庫は、上述したとおり、（イ）保管物が腐りにくく、（ロ）地震時に建物と一体となって影響を受けず、（ハ）広さを自由に設定でき、（ニ）搬送・設置を容易にし、（ホ）床下の点検を容易にした。
【図面の簡単な説明】
【０００６】
【図１】  本考案の床下収納庫の平面図
【図２】  本考案の床下収納庫の図１におけるＡ−Ａ線断面図
【考案を実施するための形態】
【０００７】    （建１）〜（建１５）は建築工事に関するものであり、床下収納庫の組立は建築工事  と同時でも完了後でも可能である。
（１）床下収納庫の基礎は、各室の床下の（建６）床下防湿コンクリートア５０の所定      の位置の（建２）布基礎天端＋３０金鏝直仕上げの外側４面に（建５）エラスタイ      ト３０×５０を取り付け、基礎立ち上がり部分の完了後、（建１）収納庫設置底盤      土間コンクリートア７５金鏝直仕上げの表面を平滑に仕上げる。
（２）（収１）根太棒アルミ角４０×４０ア３．０（緑色）の配置及び取付けは、（建      ２）布基礎天端＋３０金鏝直仕上げの内側面より４５ｍｍを計り、通り芯を設定し      、（収１）根太棒アルミ角４０×４０ア３．０（緑色）に示された位置に、穴あけ      電動ドリルでＬ＝５０ｍｍ・径４．０ｍｍの鍋ビス穴をあけ、（収１）根太棒アル      ミ角４０×４０ア３．０（緑色）の底面の穴より、鍋ビス径＝４．０ｍｍを電気ド      リルでネジ込んで、（収１）根太棒アルミ角４０×４０ア３．０（緑色）と（収２      ）根絡みアルミＬ形鋼４０×４０ア３．０（緑色）を共に、（建１）収納庫設置底      盤土間コンクリートア７５金鏝直仕上げに固定する。
（３）（収２）根絡みアルミＬ形鋼４０×４０ア３．０（緑色）と（収３）四隅柱中柱      アルミＬ形鋼４０×４０ア３．０（緑色）は、電動ドリルを使い鍋ビスで柱脚が固      定される。
（４）（収３）四隅柱中柱アルミＬ形鋼４０×４０ア３．０（緑色）の頂部と（収４）      各柱の頭繋ぎアルミ４０×４０ア３．０（緑色）が、電動ドリルを使い鍋ビスで固      定して組まれることで、収納庫の骨格が自立する。
（５）（収３）四隅柱中柱アルミＬ形鋼４０×４０ア３．０（緑色）と（収４）各柱の      頭繋ぎアルミ４０×４０ア３．０（緑色）とは、内側の表面で３．０ｍｍの違いが      できるので、（収５）スペーサーアルミ板巾２５ア３．０（緑色）で厚さを調整す      る。
（６）各面の調整が完了後、４隅の面に固定される（収７）内壁アルミパンチングメタ      ルア２．０（橙色）皿ビス径４．０ＳＵＳメッシュ裏張りを張り、（収６）床板ア      ルミパンチングメタルア２．０（橙色）皿ビス径４．０ＳＵＳメッシュ裏張りを電      気ドリルで根太棒に張り付け床面を完成する。
（７）（収７）内壁アルミパンチングメタルア２．０（橙色）皿ビス径４．０ＳＵＳメ      ッシュ裏張りは水平力に対応が出来る。
（８）（収８）内壁点検口枠アルミＬ形鋼２０×２０ア２．０（橙色）の４方向の点検      口の出入り口枠を確定し、（収９）内壁点検口壁パンチングメタルア２．０（橙色      ）皿ビス径４．０ＳＵＳメッシュ裏張りを張り点検口を完成させる。
【符号の説明】
【０００８】  （建１）収納庫設置底盤土間コンクリートア７５金鏝直仕上げ
（建２）布基礎天端＋３０金鏝直仕上げ
（建３）独立基礎天端＋５０金鏝直仕上げ
（建４）鋼製床束
（建５）エラスライト３０×５０
（建６）床下防湿コンクリートア５０
（建７）大引９０×９０
（建８）根太掛１５０×１５
（建９）根太受け板２１０×３６
（建１０）根太棒４５×５４＠３００
（建１１）床寄木フロア１５
（建１２）床下収納庫蓋点検口（気密型）
（建１３）床下収納庫蓋外枠アルミ製
（建１４）床下収納庫蓋内枠アルミ製
（建１５）ラッチ金物（気密型）
（収１）根太棒アルミ角４０×４０ア３．０（緑色）
（収２）根絡みアルミＬ形鋼４０×４０ア３．０（緑色）
（収３）四隅柱中柱アルミＬ形鋼４０×４０ア３．０（緑色）
（収４）各柱の頭繋ぎアルミ４０×４０ア３．０（緑色）
（収５）スペーサーアルミ板巾２５ア３．０（緑色）
（収６）床板アルミパンチングメタルア２．０（橙色）皿ビス径４．０ＳＵＳメッシュ          裏張り
（収７）内壁アルミパンチングメタルア２．０（橙色）皿ビス径４．０ＳＵＳメッシュ          裏張り
（収８）内壁点検口枠アルミＬ形鋼２０×２０ア２．０（橙色）
（収９）内壁点検口壁パンチングメタルア２．０（橙色）皿ビス径４．０ＳＵＳメッシ          ュ裏張り
（収１０）緩衝材硬質ゴム３０×２０接着剤＋皿ビス径４．０
【図１】
0003190342.tif 000003
【図２】
0003190342.tif 000004